(57)【要約】  Ｐ２Ｐ（ピアツーピア）通信モードからアップ−ＵＴＲＡＮ−ダウン（従来通信モード）に、及び従来通信モードからＰ２Ｐモードにスイッチするために、ワイヤレス通信システムにおける方法であって、前記方法は、Ｐ２Ｐ通信モードから従来通信モードにスイッチするためのユーザ装置によって実行され、他のユーザ装置とのＰ２Ｐ通信において前記ユーザ装置によって使用される直接リンクを検出するステップと、前記検出結果が、前記直接リンクの通信特性は前記Ｐ２Ｐ通信のための要求仕様を満たし得ないことを示す場合に、ワイヤレス通信ネットワークシステムに対して従来通信モードにスイッチするための要求を送信するステップと、前記ネットワークシステムによって送信される前記スイッチするための要求の肯定応答（ＡＣＫ）メッセージを受信した後、従来モードで前記他のユーザ装置と通信するように従来通信接続をもたらすステップとを有する方法がもたらされる。
2007503788.tif 000002
【特許請求の範囲】
【請求項１】
ピアツーピア通信モードから、従来モードと称されるアップ−ＵＴＲＡＮ−ダウン通信モードにスイッチするために、ワイヤレス通信システムにおいてユーザ装置によって実行される方法であって、
（ａ）他のユーザ装置とのピアツーピア通信において前記ユーザ装置によって使用される直接リンクを検出するステップと、
（ｂ）前記検出結果が、前記直接リンクの通信特性は前記ピアツーピア通信のための要求仕様を満たし得ないことを示す場合に、ワイヤレス通信ネットワークシステムに対して従来通信モードにスイッチするための要求を送信するステップと、
（ｃ）前記ネットワークシステムによって送信される前記スイッチするための要求の肯定応答メッセージを受信した後、従来通信モードで前記他のユーザ装置と通信するように従来通信接続をもたらすステップと
を有する方法。
【請求項２】
前記ステップ（ｃ）が、
（ｃ１）前記ネットワークシステムによって送信される前記スイッチするための要求の肯定応答メッセージを受信したと共に前記割り当てられた従来通信モードトラヒックチャネルを取得した後、ピアツーピア通信と従来通信との並行状態に入るステップと、
（ｃ２）並行状態に入った後、前記従来通信モードで、取得されたトラヒックチャネルを検査するステップと、
（ｃ３）前記検査結果が、前記従来通信モードにおけるトラヒックチャネルの前記通信特性は、前記従来通信に対する要求仕様を満たし得ることを示す場合、ピアツーピア通信無線リソースを前記ネットワークシステムに解放するための要求を送信するステップと、
（ｃ４）前記ネットワークシステムによって送信されるピアツーピア通信無線リソースを解放するための要求の前記肯定応答メッセージを受信した後、前記ユーザ装置が前記並行状態から単一の従来通信モードにスイッチし得るように、前記直接リンクによって占有される前記無線リソースを解放するステップと  
を含む請求項１に記載の方法。
【請求項３】
前記ユーザ装置は、前記従来通信モードにスイッチするための要求と、前記ピアツーピア通信無線リソースを前記ネットワークシステムに解放するための要求とを、前記カスタマイズされたアップリンクチャネル及び前記アップリンク制御チャネルの何れのチャネルを介しても送信し得る請求項２に記載の方法。  
【請求項４】
前記ステップ（ｂ）は、
（ｂ１）前記検出結果が、前記直接リンクの通信特性は所定の値の下になることを示す場合、ある一定のインタバルおきに前記直接リンクの前記通信特性を検査すると共に、前記対応する検査結果を取得するステップと、
（ｂ２）前記所定のインタバルにおける前記取得された検査結果に応じて、前記インタバルにおける前記直接リンクの前記通信特性を計算するステップと、
（ｂ３）前記計算された結果が、前記直接リンクの通信特性は前記ピアツーピア通信のための要求仕様を満たし得ないことを示す場合、前記従来通信モードにスイッチするための要求を前記ネットワークシステムに送信するステップと
を含む請求項１、２、又は３に記載の方法。
【請求項５】
（ｂ４）前記計算された結果が、前記直接リンクの通信特性は前記ピアツーピア通信のための要求仕様を満たし得ることを示す場合、ピアツーピア通信モードで継続するステップ
を更に含む請求項４に記載の方法。
【請求項６】
前記ステップ（ｃ２）は、
（ｃ２１）並行状態に入った後、ある一定のインタバルおきに前記従来通信モードで前記トラヒックチャネルの前記通信特性を検査すると共に、前記対応する検査結果を取得するステップと、
（ｃ２２）前記所定のインタバルにおいて取得される前記検査結果に応じて、前記インタバルにおいて従来通信モードにおける前記トラヒックチャネルの前記通信特性を得るために計算するステップと
を含む請求項２に記載の方法。
【請求項７】
前記インタバルにおける前記従来通信モードにおけるトラヒックチャネルの前記通信特性を計算する数をカウントするステップと、
前記数が所定の値を超えない場合、前記数を増加させた後、ここでも前記インタバルにおける前記従来通信モードトラヒックチャネルの前記通信特性を検査すると共に計算するステップと
を更に有する請求項６に記載の方法。
【請求項８】
前記数が所定の値を超える場合、ピアツーピア通信モードで継続するステップ
を更に有する請求項７に記載の方法。
【請求項９】
前記直接通信リンクのトラヒックチャネルは、従来通信モードにおけるアップリンクトラヒックチャネル及びダウンリンクトラヒックチャネルの一つとみなされ得る請求項１乃至３の何れか一項に記載の方法。
【請求項１０】
ピアツーピア通信モードから、従来通信モードと称されるアップ−ＵＴＲＡＮ−ダウン通信モードにユーザ装置をスイッチするために、ワイヤレス通信システムにおいてワイヤレス通信ネットワークシステムによって実行される方法であって、
（Ａ）従来通信モードにスイッチするための要求をピアツーピア通信モードで前記ユーザ装置から受信するステップと、
（Ｂ）前記従来通信モードにスイッチすると共に従来通信モードにおけるトラヒックチャネルをピアツーピア通信モードにおける前記二つのユーザ装置に割り当てるための要求に応答するステップと、
（Ｃ）前記二つのユーザ装置が従来通信接続をもたらし得るように、前記二つのユーザ装置にスイッチするための要求の肯定応答メッセージを送信するステップと
を有する方法。
【請求項１１】
（Ｄ）前記二つのユーザ装置からピアツーピア通信無線リソースを解放するための要求を受信するステップと、
（Ｅ）前記ピアツーピア通信無線リソースを解放するための要求に応答すると共に、前記ピアツーピア通信無線リソースを再要求するステップと、
（Ｆ）前記ピアツーピア通信無線リソースを再要求した後、前記二つのユーザ装置が前記並行状態から単一の従来通信モードにスイッチし得るように、前記ピアツーピア通信無線リソースを解放するための要求の肯定応答メッセージを前記二つのユーザ装置に送信するステップと
を更に有する請求項１０に記載の方法。
【請求項１２】
前記ネットワークシステムによって前記二つのユーザ装置に割り当てられる前記従来通信モードトラヒックチャネルが、前記ダウンリンクトラヒックチャネル及び前記アップリンクトラヒックチャネルの一つを少なくとも含む請求項１０又は１１に記載の方法。
【請求項１３】
従来通信モードと称されるアップ−ＵＴＲＡＮ−ダウン通信モードからピアツーピア通信モードにスイッチするために、ユーザ装置によって実行される方法であって、
（ａ）ワイヤレス通信ネットワークシステムから制御情報を受信するステップと、
（ｂ）前記制御情報により、従来の通信において前記ユーザ装置と通信する前記他のユーザ装置と前記ネットワークシステムとの間のアップリンク上に転送される情報をオーバヒアするステップと、
（ｃ）前記ユーザ装置は、前記アップリンクの通信特性が前記ユーザ装置と前記他のユーザ装置との間のピアツーピア通信のための要求仕様を満たし得るかどうかを決定するために、前記アップリンク上に転送される情報をオーバヒアし得るかどうかを検出するステップと、
（ｄ）前記検出結果が、前記アップリンクは前記ピアツーピア通信のための特性要求仕様を満たし得ることを示す場合、前記ユーザ装置は、ピアツーピア通信モードで前記他のユーザ装置と通信し得るように、前記アップリンクを使用することによって前記他のユーザ装置とのピアツーピア接続をもたらすステップと
を有する方法。
【請求項１４】
前記ステップ（ｄ）が、
（ｄ１）前記検出結果は、前記アップリンクが前記ピアツーピア通信のための特性要求仕様を満たし得ることを示す場合、通知メッセージを前記ネットワークシステムに送信するステップと、
（ｄ２）前記ネットワークシステムからのピアツーピア接続をもたらすための命令メッセージに応じて、前記他のユーザ装置とのピアツーピア接続をもたらすステップと  
を含む請求項１３に記載の方法。
【請求項１５】
前記ステップ（ｄ２）が、
（ｄ２１）前記ネットワークシステムからのピアツーピア接続をもたらすための命令メッセージに応じて、前記他のユーザ装置とのピアツーピア接続をもたらすと共に、ピアツーピア通信と従来通信との並行状態に入るステップと、
（ｄ２２）並行状態に入った後、前記もたらされたピアツーピアリンクを検査するステップと、
（ｄ２３）前記検査結果が、前記ピアツーピアリンクの通信特性は、前記ピアツーピア通信に対する要求仕様を満たし得ることを示す場合、従来通信無線リソースを前記ネットワークシステムに解放するための要求を送信するステップと、
（ｄ２４）前記ネットワークシステムによって送信される前記従来通信無線リソースを解放するための要求の前記肯定応答メッセージを受信した後、前記ユーザ装置が前記ピアツーピア通信と従来通信との並行状態から単一のＰ２Ｐ通信モードにスイッチし得るように、前記従来リンクによって占有される前記無線リソースを解放するステップと
を含む請求項１４に記載の方法。
【請求項１６】
前記ステップ（ｃ）は、
（ｃ１）ある一定のインタバルおきに前記オーバヒアされたアップリンクの特性を検査すると共に、前記対応する検査結果を取得するステップと、
（ｃ２）前記所定のインタバルにおいて取得される前記検査結果に応じて、前記インタバルにおける前記オーバヒアされたアップリンクの通信特性を計算するステップと  
を含む請求項１３，１４、又は１５に記載の方法。  
【請求項１７】
（ｅ）前記検査結果が、前記アップリンクは前記ピアツーピア通信のための要求仕様を満たし得ないことを示す場合、従来通信モードで継続するステップ
を更に含む請求項１３に記載の方法。  
【請求項１８】
前記ステップ（ｄ２２）は、
（ｄ２２１）並行状態に入った後、ある一定のインタバルおきに前記ピアツーピアリンクの通信特性を検査すると共に、前記対応する検査結果を取得するステップと、
（ｄ２２２）前記所定のインタバルにおいて取得される前記検査結果に応じて、前記インタバルにおけるピアツーピアリンクの通信特性を得るために計算するステップと  
を含む請求項１５に記載の方法。    
【請求項１９】
前記インタバルにおける前記ピアツーピアリンクの通信特性を計算する数をカウントするステップと、
前記数が所定の値を超えない場合、前記数を増加させた後、ここでも前記インタバルにおける前記ピアツーピアリンクの通信特性を検査すると共に計算するステップと    
を更に有する請求項１８に記載の方法。  
【請求項２０】
前記数が所定の値を超える場合、従来通信モードで継続するステップ  
を更に有する請求項１９に記載の方法。  
【請求項２１】
ユーザ装置が、従来通信モードと称されるアップ−ＵＴＲＡＮ−ダウン通信モードからピアツーピア通信モードにスイッチするためにワイヤレス通信システムにおいてワイヤレス通信ネットワークシステムによって実行される方法であって、
（ａ）前記二つのユーザ装置が、ピアツーピア通信をもたらす条件を満たすかどうかを決定するステップと、
（ｂ）前記二つのユーザ装置が、前記ピアツーピア通信をもたらす条件を満たす場合、前記ネットワークシステムと当該二つのユーザ装置のピアとの間のアップリンク上に転送される情報をオーバヒアするように当該二つのユーザ装置に命令するために前記二つのユーザ装置にそれぞれ制御情報を送信するステップと、
（ｃ）前記二つのユーザ装置の各々は、前記二つのユーザ装置の各々のピアと前記ネットワークシステムとの間の前記アップリンク上に転送される情報をオーバヒアし得ることを示す通知メッセージを前記二つのユーザ装置から受信するステップと、
（ｄ）相互のピアツーピア通信をもたらすように前記二つのユーザ装置に命令するためにそれぞれ前記二つのユーザ装置に命令メッセージを送信するステップと
を有する方法。
【請求項２２】
（ｅ）前記二つのユーザ装置から従来通信無線リソースを解放するための要求を受信するステップと、
（ｆ）前記二つのユーザ装置がそれぞれ、ピアツーピア通信及び従来通信の並行状態から単一のピアツーピア通信モードにスイッチするように、従来通信無線リソースを前記二つのユーザ装置にそれぞれ解放するための要求の肯定応答メッセージを送信するステップと
を更に有する請求項２１に記載の方法。
【請求項２３】
前記ステップ（ａ）が、
（ａ１）前記二つのユーザ装置の位置情報に応じて、前記二つのユーザ装置の間の距離が、ピアツーピア通信の範囲内に入るかどうかを決定するステップと、
（ａ２）前記二つのユーザ装置が両方ともピアツーピア通信能力を有するかどうかを決定するステップと、
（ａ３）前記二つのユーザ装置が同じセルにキャンプインするかどうかを決定するステップと、
（ａ４）前記二つのユーザ装置が、ステップ（ａ１）、（ａ２）、及び（ａ３）の条件を同時に満たすとき、ピアツーピア通信は前記二つのユーザ装置の間にもたらされ得ることを決定するステップと  
を更に有する請求項２１又は２２に記載の方法。
【請求項２４】
前記ユーザ装置によって前記ネットワークシステムに送信される前記情報及び前記ユーザ装置を探索すると共に位置決めすることによって取得される情報の一つに応じて前記ユーザ装置の前記位置情報が取得され得る
請求項２３に記載の方法。  
【請求項２５】
ワイヤレス通信システムにおいて、ピアツーピア通信モードから、従来通信モードと称されるアップ−ＵＴＲＡＮ−ダウンにスイッチし得るユーザ装置であって、
前記ユーザ装置と他のユーザ装置との間のピアツーピア通信のための直接リンクを検出するための直接リンク検出手段と、
前記検出結果が、前記直接リンクの通信特性は前記ピアツーピア通信のための要求仕様を満たし得ないことを示すときに、ワイヤレス通信ネットワークシステムに対して従来通信モードにスイッチするための要求を送信するためのスイッチ要求送信手段と、
前記ネットワークシステムによって送信される前記スイッチするための要求の肯定応答メッセージを受信した後、従来通信モードで前記他のユーザ装置と通信するように従来通信の接続をもたらすための従来通信接続設定手段と
を有するユーザ装置。
【請求項２６】
前記従来通信接続設定手段が、
前記ネットワークシステムによって送信される前記スイッチするための要求の肯定応答メッセージを受信したと共に前記割り当てられた従来通信モードにおけるトラヒックチャネルを取得した後、ピアツーピア通信と従来通信との並行状態に入るための並行状態接続手段と、
並行状態に入った後、前記従来通信モードで、取得されたトラヒックチャネルを検査するための従来リンク検査手段と、
前記ネットワークシステムによって送信される前記無線リソースを解放するための要求の前記肯定応答メッセージを受信した後、前記ユーザ装置が前記並行状態から単一の従来通信モードにスイッチし得るように、前記直接リンクによって占有される前記無線リソースを解放するための無線リソース解放手段と
を含み、
前記従来リンク検査手段の前記検査結果は、前記従来通信モードにおけるトラヒックチャネルが、前記従来通信に対する通信特性要求仕様を満たし得ることを示すとき、ピアツーピア通信無線リソースを前記ネットワークシステムに解放するための要求を送信する請求項２５に記載のユーザ装置。
【請求項２７】
前記スイッチ要求送信手段は、
前記検出結果が、前記直接リンクの通信特性は所定の値の下になることを示すとき、ある一定のインタバルおきに前記直接リンクの前記通信特性を検査すると共に、前記対応する検査結果を取得するための検査手段と、
前記所定のインタバルにおける前記取得された検査結果に応じて、前記インタバルにおける前記直接リンクの前記通信特性を計算する計算手段と、
前記計算された結果が、前記直接リンクの通信特性は前記ピアツーピア通信のための要求仕様を満たし得ないことを示すとき、前記従来通信モードにスイッチするための要求を前記ネットワークシステムに送信するための送信手段と    
を含む請求項２５又は２６に記載のユーザ装置。
【請求項２８】
前記従来リンク検査手段は、
並行状態に入った後、ある一定のインタバルおきに従来通信モードで前記トラヒックチャネルの通信特性を検査すると共に、前記対応する検査結果を取得するトラヒックチャネル検査手段
と、
前記所定のインタバルにおいて取得される前記検査結果に応じて、従来通信モードにおける前記トラヒックチャネルの通信特性を得るように計算するためのトラヒックチャネル通信特性計算手段と
を含む請求項２６に記載のユーザ装置。
【請求項２９】
ユーザ装置がピアツーピア通信モードから、従来通信モードと称されるアップ−ＵＴＲＡＮ−ダウンにスイッチするための方法を実行し得るワイヤレス通信ネットワークシステムであって、
従来通信モードにスイッチするための要求をピアツーピア通信モードで前記ユーザ装置から受信するための受信手段と、
前記従来通信モードにスイッチすると共に従来通信モードにおけるトラヒックチャネルをピアツーピア通信モードにおける前記二つのユーザ装置に割り当てるための要求に応答するための割り当て手段と、
前記二つのユーザ装置の間の従来通信接続がもたらされ得るように、前記二つのユーザ装置にスイッチするための要求の肯定応答メッセージを送信すると共に、前記二つのユーザ装置が、ピアツーピア通信及び従来通信の並行状態から単一の従来通信モードにスイッチし得るように、ピアツーピア通信無線リソースを解放するための要求の肯定応答メッセージを送信するための送信手段と
を有するワイヤレス通信ネットワークシステム。
【請求項３０】
前記受信手段がピアツーピア通信無線リソースを前記二つのユーザ装置から解放するための要求を受信するとき、ピアツーピア通信無線リソースを再要求するためのピアツーピア通信無線リソース再要求手段  
を更に有する請求項２９に記載のネットワークシステム。
【請求項３１】
従来通信モードと称されるアップ−ＵＴＲＡＮ−ダウンからピアツーピア通信モードにスイッチし得る、ワイヤレス通信システムにおけるユーザ装置であって、
前記ワイヤレス通信ネットワークシステムから制御情報を受信するための受信手段と、
前記制御情報に応じて、従来の通信において前記ユーザ装置と通信する前記他のユーザ装置と前記ネットワークシステムとの間の前記アップリンク上に転送される情報をオーバヒアするためのオーバヒア手段と、
前記アップリンクの通信特性は、前記ユーザ装置と前記他のユーザ装置との間の前記ピアツーピア通信のための要求仕様を満たし得るかどうかを決定するように、前記アップリンク上に転送される情報がオーバヒアされ得るかどうかを検出するための検出手段と、
前記検出結果が、前記アップリンクは前記ピアツーピア通信のための特性要求仕様を満たすことを示すとき、前記ユーザ装置が、ピアツーピアモードで前記他のユーザ装置と通信し得るように、前記アップリンクを使用することによって前記他のユーザ装置とのピアツーピア接続をもたらすためのピアツーピア接続設定手段と
を有するユーザ装置。  
【請求項３２】
前記ピアツーピア接続設定手段が、
前記検出結果は、前記アップリンクが前記ピアツーピア通信のための特性要求仕様を満たすことを示すとき、通知メッセージを前記ネットワークシステムに送信するための送信手段と、
前記ネットワークシステムからのピアツーピア接続をもたらすための命令メッセージに応じて、前記他のユーザ装置とのピアツーピア接続をもたらすための設定手段と  
を含む請求項３１に記載のユーザ装置。
【請求項３３】
前記設定手段が、
前記ネットワークシステムからのピアツーピア接続をもたらすための命令メッセージに応じて、前記他のユーザ装置とのピアツーピア接続をもたらすと共に、従来通信モードからピアツーピア通信と従来通信との並行状態に入るための並行状態入力手段と、
並行状態に入った後、前記もたらされたピアツーピアリンクを検査するためのピアツーピアリンク検査手段であって、前記ピアツーピアリンク検査手段の検査結果が、前記ピアツーピアリンクの通信特性は、前記ピアツーピア通信に対する要求仕様を満たし得ることを示すとき、前記送信手段は、従来通信無線リソースを前記ネットワークシステムに解放するための要求を送信するピアツーピアリンク検査手段と、
前記ネットワークシステムによって送信される前記従来通信無線リソースを解放するための要求の前記肯定応答メッセージを前記受信手段が受信した後、前記ユーザ装置が前記ピアツーピア通信と従来通信との前記並行状態から単一のＰ２Ｐ通信モードにスイッチし得るように、前記従来リンクによって占有される前記無線リソースを解放するための無線リソース解放手段と  
を含む請求項３２に記載のユーザ装置。
【請求項３４】
前記検出手段は、
ある一定のインタバル毎に一度前記オーバヒアされたアップリンクの特性を検査すると共に、前記対応する検査結果を取得するためのアップリンク検査手段と、
前記所定のインタバルにおける前記取得された検査結果に応じて、前記インタバルにおける前記オーバヒアされたアップリンクの通信特性を計算するための計算手段と  
を含む請求項３１、３２、又は３３に記載のユーザ装置。
【請求項３５】
前記ピアツーピアリンク検査手段は、
並行状態に入った後、ある一定のインタバル毎に一度前記ピアツーピアリンクの通信特性を検査すると共に、前記対応する検査結果を取得するためのピアツーピアリンク検査結果取得手段と、
前記所定のインタバルにおける前記取得された検査結果に応じて、前記インタバルにおけるピアツーピアリンクの通信特性を得るために計算するためのピアツーピアリンク計算手段と
を含む請求項３３に記載のユーザ装置。
【請求項３６】
ユーザ装置が、従来通信と称されるアップ−ＵＴＲＡＮ−ダウンからピアツーピア通信モードにスイッチするための方法を実行し得る、ワイヤレス通信システムにおけるワイヤレス通信ネットワークシステムであって、
前記二つのユーザ装置が、前記ピアツーピア通信をもたらすための要求仕様を満たすかどうかを決定するための決定手段と、
前記二つのユーザ装置が、前記ピアツーピア通信をもたらすための要求仕様を満たすことが決定されるとき、前記ネットワークシステムと当該二つのユーザ装置のピアとの間の前記アップリンク上に転送される情報をオーバヒアするように当該二つのユーザ装置に命令するために前記二つのユーザ装置にそれぞれ制御情報を送信するための命令手段と、
前記二つのユーザ装置から従来通信無線リソースを解放するための要求及び通知メッセージを受信し、前記通知メッセージは、前記二つのユーザ装置の各々が、前記二つのユーザ装置の各々のピアと前記ネットワークシステムとの間の前記アップリンク上に転送される情報をオーバヒアし得ることを示すための受信手段と、
前記二つのユーザ装置が、前記ピアツーピア通信及び従来通信の並行状態から単一のピアツーピア通信モードにそれぞれスイッチし得るように、前記二つのユーザ装置が相互のピアツーピア通信をもたらすように命令するために前記二つのユーザ装置に命令メッセージを送信すると共に、前記従来通信無線リソースを前記二つのユーザ装置に解放するための要求の肯定応答メッセージを送信するための送信手段と
を有するワイヤレス通信ネットワークシステム。  
【発明の詳細な説明】
【技術分野】
【０００１】
本発明は、ワイヤレス通信システムにおいてＰ２Ｐ（ピアツーピア（Peer to Peer））通信を導入し得る方法及び装置、更に特定されると、ワイヤレス通信システムにおいてＰ２Ｐ通信モードと従来の通信モード（コンベンショナルコミュニケーションモード（conventional communication mode））との間で軟（ソフト）スイッチング（soft switching）するための方法及び装置に関する。      
【背景技術】
【０００２】
従来の携帯（セルラ）通信システムにおいて、ＵＥ（ユーザ装置（設備）（user equipment））は、二つのＵＥの間の距離にかかわらず基地局の中継（リレー）を通じてのみ他のＵＥと通信しなければならない。図１は、ＵＥ１とＵＥ２とが、基地局トランシーバ（すなわちノード（Ｎｏｄｅ）Ｂ）及び無線リソース制御器（ラジオリソースコントローラ（Radio Resource controller(RNC)））から構成されるＵＴＲＡＮを通じて相互に対話（通信）する従来の通信モードを示しており、この通信モードはアップ−ＵＴＲＡＮ−ダウン（ＵＰ−ＵＴＲＡＮ−ＤＯＷＮ）モードとも称される。しかしながら、同じセルにキャンプインしている（とどまっている）二つのＵＥが互いに非常に近くなる場合、当該二つのＵＥは、基地局の中継を通じてではなく、直接通信する方がより適当な態様となり得る。当該方法は、Ｐ２Ｐと略記されるいわゆるピアツーピア（peer-to-peer）通信である。
【０００３】
図２は、Ｐ２Ｐ通信モードを示している。図２に示されているように、破線は信号リンク（接続路）（シグナリングリンク（signaling link））を表しており、実線はデータリンクに対するものであり、矢印は情報の流れ（インフォメーションフロー（information flow））の方向に対するものである。データリンクのみは二つの通信するＵＥの間に存在している一方、信号リンクのみはＵＴＲＡＮとＵＥ（モバイル端末）との間に存在している。基本通信（basic communication）を維持（保守）するためのリソース（資源）のみが必要とされることは仮定される。直接リンク（ダイレクトリンク（direct link））は、（固定周波数、タイムスロット、及び拡散符号（スプレッドコード（spread code）を有する）無線リソースの一つのユニット（単位）とされ、Ｐ２Ｐ通信モードは、基本通信を維持するために無線リソースの二つのユニットのみを必要とすることが容易に記載され得る。管理のための更なる信号送出コストが無視される場合、Ｐ２Ｐ通信は、従来の通信モードに比べて、約５０％の無線リソースを節減し得る。更に、ＵＴＲＡＮはなおもＰ２Ｐ通信の制御、特に無線リソースを使用する方法を保有しているので、ワイヤレスネットワークオペレータは、Ｐ２Ｐ通信によって使用される無線リソースを容易に変更し得る。
【０００４】
２００３年３月７日にコーニンクレッカ  フィリップス  エレクトロニクス  エヌ  ヴィ（KONINKLIJKE PHILIPS ELECTRONICS N.V.）社によって出願された“ワイヤレス通信ネットワークでＰ２Ｐ通信をもたらすための方法及び装置（A Method and Apparatus for Establishing P2P Communication in Wireless Communication Networks）”及び“ワイヤレスＰ２Ｐ通信をもたらすための方法及び装置”という名称（表題）の二つの特許出願（代理人整理番号第ＣＮ０３０００３号及び第ＣＮ０３０００１号、出願番号第０３１１９８９２．９号及び第０３１１９８９７．Ｘ号）に記載されているように、ワイヤレス通信ネットワークでＰ２Ｐ通信をもたらす（設ける）ための二つの方法及び装置は、参照としてここに含まれていると共にＴＤ−ＳＣＤＭＡシステムを含むいかなるＴＤＤ  ＣＤＭＡ通信システムにも適している。
【０００５】
２００３年３月７日にコーニンクレッカ  フィリップス  エレクトロニクス  エヌ  ヴィ社によって出願された“ワイヤレス通信ネットワークにおけるＰ２Ｐ通信との無線リンク（接続路）設定及び維持（メンテナンス）のための方法及び装置（A Method and Apparatus for Radio Link Establishment and Maintenance with P2P Communication in Wireless Communication Networks）”という名称の特許出願（代理人整理番号第ＣＮ０３０００５号、出願番号第０３１１９８９５．３号）に記載されているように、ワイヤレス通信ネットワークにおけるＰ２Ｐ通信との無線リンク設定及び維持のための方法及び装置は、参照としてここに含まれていると共にＴＤ−ＳＣＤＭＡシステムを含むいかなるＴＤＤ  ＣＤＭＡ通信システムにも適している。
【０００６】
既存のＴＤ−ＳＣＤＭＡシステムと同じランダムアクセス（接続）プロシージャを通じてＵＴＲＡＮとのアップリンク同期がもたらされた後、ＵＥは、出願番号が第０３１１９８９２．９号及び第０３１１９８９７．Ｘ号である出願文献に記載の方法及び装置により他のＵＥとのＰ２Ｐ直接リンクをもたらし、すなわち二つのＰ２Ｐ通信するＵＥに対して、関連する専用リソースを割り当て得る。それから、二つのＵＥの間の直接リンクは、出願番号が第０３１１９８９５．３号である出願文献に記載の方法及び装置によりもたらされると共に維持され得るので、二つのＵＥはそれぞれ、割り当てられたスロットにおいてＰ２Ｐ信号を受信すると共に送信することが可能であり、従って二つのＵＥの間のＰ２Ｐ通信が実現され得る。
【０００７】
しかしながら、Ｐ２Ｐ通信するＵＥの移動が、通信環境及びＵＥの位置における変動をもたらし得るので、Ｐ２Ｐ通信が失われ得る。この状況において、ユーザの明白な意識なしにＰ２Ｐ通信モードから従来の通信モードに継ぎ目なく（シームレスに）スイッチする方法は、Ｐ２Ｐ通信モードが使用されるとき考慮されるべき問題となる。
【０００８】
更に、従来のアップ−ＵＴＲＡＮ−ダウンモードで通信する二つのＵＥが、Ｐ２Ｐ通信要求仕様を満たし得るとき、無線リソースを節減すると共にシステム性能を向上させるためにそれらの間のＰ２Ｐリンクを設定することは好ましい。しかしながら、通信するユーザの明白な意識なしにＰ２Ｐ通信モードから従来の通信モードに継ぎ目なくスイッチする方法としてＰ２Ｐモードを導入することは大きな課題ともなる。  
【発明の開示】
【発明が解決しようとする課題】
【０００９】
本発明の目的は、Ｐ２Ｐ通信が実行され得ないときに、通信するユーザの明白な意識なしに従来モードに円滑（スムーズ）にスイッチするように、ワイヤレス通信システムにおいてＰ２Ｐ通信から従来の通信へスイッチするための方法及び装置を提供することにある。
【００１０】
本発明の他の目的は、Ｐ２Ｐ通信要求仕様が満たされ得るとき、通信するユーザのいかなる注意もなしにＰ２Ｐモードに円滑にスイッチされるように、ワイヤレス通信システムにおいて従来の通信からＰ２Ｐ通信にスイッチするための方法及び装置を提供し、無線リソースを節減することにある。
【課題を解決するための手段】
【００１１】
上記の目的を達成するため、本発明により、ワイヤレス通信システムにおいてＵＥによって実行され、Ｐ２Ｐ通信モードからアップ−ＵＴＲＡＮ−ダウン通信モードにスイッチするための方法であって、（ａ）他のＵＥとのＰ２Ｐ通信において前記ＵＥによって使用される直接リンクを検出するステップと、（ｂ）前記検出結果が、前記直接リンクの通信特性（通信の質）は前記Ｐ２Ｐ通信のための要求仕様を満たし得ないことを示す場合に、ワイヤレス通信ネットワークシステムに対して従来通信モードにスイッチするための要求を送信するステップと、（ｃ）前記ネットワークシステムによって送信される前記スイッチ要求のＡＣＫ（肯定応答（acknowledge））メッセージを受信した後、従来通信モードで前記他のユーザ装置と通信するように従来通信リンクをもたらすステップとを有する方法が提案される。
【００１２】
上記の目的を達成するため、本発明により、ワイヤレス通信システムにおいてネットワークシステムによって実行され、ＵＥが、Ｐ２Ｐ通信モードからアップ−ＵＴＲＡＮ−ダウン通信モードにスイッチするための方法であって、（Ａ）Ｐ２Ｐ通信モードにおけるＵＥから、従来通信モードにスイッチするための要求を受信するステップと、（Ｂ）前記従来通信モードにスイッチすると共に従来通信モードにおけるトラヒックチャネルをＰ２Ｐ通信モードにおける前記二つのＵＥに割り当てるためのスイッチ要求に応答するステップと、（Ｃ）前記二つのＵＥが従来通信リンクをもたらし得るように、前記二つのＵＥへのスイッチ要求のＡＣＫメッセージを送信するステップとを有する方法が提案される。
【００１３】
上記の目的を達成するため、本発明により、ワイヤレス通信システムにおいてユーザ装置によって実行され、従来通信モードと称されるアップ−ＵＴＲＡＮ−ダウン通信モードからＰ２Ｐ通信モードにスイッチするための方法であって、（ａ）ワイヤレス通信ネットワークシステムから制御情報を受信するステップと、（ｂ）前記制御情報により、前記ＵＥとの従来の通信において前記他のＵＥと前記ネットワークシステムとの間のアップリンク上に転送される情報をオーバヒアするステップと、（ｃ）前記ＵＥは、前記アップリンクの通信特性が前記ＵＥと前記他のＵＥとの間のＰ２Ｐ通信のための要求仕様を満たし得るかどうかを決定するために、前記アップリンク上に転送される情報をオーバヒアし得るかどうかを検出するステップと、（ｄ）前記検出結果が、前記アップリンクは前記Ｐ２Ｐ通信のための特性要求仕様を満たし得ることを示す場合、前記ＵＥは、Ｐ２Ｐ通信モードで前記他のＵＥと通信し得るように、前記アップリンクを使用することによって前記他のＵＥとのＰ２Ｐリンクをもたらすステップとを有する方法が提案される。
【００１４】
上記の目的を達成するため、本発明により、ワイヤレス通信システムにおいてワイヤレス通信ネットワークシステムによって実行され、ＵＥが、従来通信モードと称されるアップ−ＵＴＲＡＮ−ダウン通信モードからＰ２Ｐ通信モードにスイッチするための方法であって、（ａ）前記二つのＵＥが、Ｐ２Ｐ通信をもたらすための要求仕様を満たすかどうかを決定するステップと、（ｂ）前記二つのＵＥが、Ｐ２Ｐ通信をもたらすための要求仕様を満たす場合、前記ネットワークシステムと当該二つのＵＥのピアとの間のアップリンク上に転送される情報をオーバヒアするように当該二つのＵＥに命令するために前記二つのＵＥにそれぞれ制御情報を送信するステップと、（ｃ）前記二つのＵＥの各々は、前記二つのＵＥの各々のピアと前記ネットワークシステムとの間の前記アップリンク上に転送される情報をオーバヒアし得ることを示す通知メッセージを前記二つのＵＥから受信するステップと、（ｄ）相互のＰ２Ｐ通信をもたらすように前記二つのＵＥに命令するためにそれぞれ前記二つのＵＥに命令メッセージを送信するステップとを有する方法が提案される。      
【発明を実施するための最良の形態】
【００１５】
まず最初に、ＴＤ−ＳＣＤＭＡシステムを例にとることによって、図３に関してＰ２Ｐモードと従来モードとの間でスイッチされるときＰ２Ｐモードで通信し得るＵＥの状態遷移についての記載が以下にもたらされるであろう。  
【００１６】
図３に示されているように、ＵＥの位置及びそれの通信環境の変化のためにＰ２Ｐ  ＵＥのＰ２Ｐ通信リンクが直接通信要求仕様を満たし得ないとき、ＵＥはＰ２Ｐ通信モードから従来通信モードにスイッチすることが必要とされる。このとき、ＵＥは単なるＰ２Ｐ接続状態を抜けて（出て）、Ｐ２Ｐ通信及び従来通信の並行（並用）状態（concurrent
state）に入る（入力される）であろう。並行状態において、検査結果が、従来リンクはＵＥに対する従来通信要求仕様を満たし得ることを示すまで、ＵＥは、Ｐ２Ｐ通信を維持するために先行するＰ２Ｐリンクが保持されるとき従来通信モードで使用されるべきネットワークシステムを介してもたらされる（設けられる）従来リンクを検査（テスト）する。すなわち、既に従来リンクがＵＥとネットワークシステムとの間にうまくもたらされた後にのみ、ＵＥは従来通信において単なる従来通信状態に入る。
【００１７】
他方、ＵＥに対する従来通信モードからＰ２Ｐ通信モードへのスイッチングのプロシージャは上記のプロシージャとちょうど逆になる。特に、従来通信モードでの二つの通信するＵＥがＰ２Ｐ通信に対する要求仕様を満たすとき、すなわち、ＵＥの間の距離がＰ２Ｐによりサポートされる無線帯域内に入り、二つのＵＥは両方ともＰ２Ｐ通信能力（性能）を有し、二つのＵＥは同じセルにキャンプインしなければならないとき、ネットワークシステムは、従来通信モードからＰ２Ｐ通信モードにスイッチするように、すなわち無線リソースを節減するように二つのＵＥに命令すべきである。このとき、二つのＵＥの各々は先行する単なるＰ２Ｐ接続状態を抜けて、Ｐ２Ｐ通信及び従来通信の並行状態に入るであろう。並行状態において、各々のＵＥは、従来通信を維持するために先行する従来通信リンクを保持する一方、当該ＵＥのピアとネットワークシステムとの間のアップリンク上に転送される情報をそれぞれオーバヒアし、検査結果が、二つのＵＥの各々とネットワークシステムとの間のアップリンクは、二つのＵＥの間のＰ２Ｐ通信リンクとしてのＰ２Ｐ通信に対するＱｏＳ要求仕様を満たし得ることを示すまで、オーバヒアされた情報により、対応するアップリンクを検査（試験）する。すなわち、既にＰ２Ｐリンクが二つのＵＥの間にうまくもたらされた後にのみ、二つのＵＥはそれぞれ単なるＰ２Ｐ通信接続状態に入る。
【００１８】
図４及び図５に関して、詳細な記載が以下、Ｐ２Ｐ通信モードから従来通信モードへの上記のスイッチングプロシージャ及び従来通信モードからＰ２Ｐ通信モードへの上記のスイッチングプロシージャにそれぞれもたらされるであろう。
【００１９】
図４に示されているように、同じセルにキャンプインしている（ステップＳ１）ＵＥ１及びＵＥ２に対して、Ｐ２Ｐ通信要求仕様が満たされている場合、二つのＵＥの間のＰ２Ｐリンクがもたらされ（ステップＳ２）、ＵＥ１及びＵＥ２はＰ２Ｐリンクを介して直接通信を実行する（ステップＳ３）。当該プロシージャは、出願番号が第０３１１９８９２．９号及び第０３１１９８９７．Ｘ号である上記の特許文献に詳細に記載されている。
【００２０】
直接通信プロシージャの間、Ｐ２ＰモードにあるＵＥ１及びＵＥ２は、自身のピアのＰ２Ｐ信号送信電力を制御するために直接リンクをモニタ（監視）し続ける（ステップＳ４）。当該プロシージャは、出願番号第０３１１９８９５．３号を備える特許出願文献に詳細に記載されている。モニタリングプロシージャの間、一つのＵＥが、Ｐ２Ｐリンク特性は、閾値ＴＲＨＤ０のような所定の値よりも低くなることを検出する（ステップＳ５）と、ＵＥは、タイマＴ１を開始させ、特性記録（レコード）リスト（quality record list）Ｌ１に記録されている先行する検査結果を空にする（削除する）ステップ（ステップＳ５．１）をとることを必要とする。delta_time（デルタタイム）の期間インタバルの後（ステップＳ５．２）、ＵＥは、この時点で（このとき）Ｐ２Ｐリンク特性を検査し（ステップＳ５．３）、検査結果を特性記録リストＬ１に記録する（ステップＳ５．４）。タイマＴ１は所定の時間で切れるかどうかをチェック（確認）する（ステップＳ５．５）。切れない場合、上記のステップＳ５．２乃至Ｓ５．４を繰り返し、Ｔ１が切れる場合、（後にＴ１’と称される）タイマＴ１の所定の期間内に特性記録リストＬ１に記録されている検査結果を計算して、Ｔ１’におけるＰ２Ｐリンク通信特性を得る（ステップＳ５．６）。Ｔ１’におけるＰ２Ｐリンク通信特性は、閾値ＴＲＨＤ１のような所定の値よりも低くなるかどうかを判断する（ステップＳ５．７）。当該特性がＴＲＨＤ１よりも低くならない場合、ステップＳ３に戻り、ＵＥは直接通信を継続する。当該特性がＴＲＨＤ１よりも低くなる場合、ＵＥは、従来通信モードにスイッチするための要求をＵＴＲＡＮに送信する（ステップＳ６）。
【００２１】
ここでＵＥは、アップリンク制御チャネル（このチャネルは、Ｐ２Ｐ通信プロセスの間、ＵＥとＵＴＲＡＮとの間で保持される）を通じて、又はＵＥとＵＴＲＡＮとの間のカスタマイズされたアップリンクチャネルを介して、従来通信モードにスイッチするための要求をＵＴＲＡＮに送信し得る。このことは、コーニンクレッカ  フィリップス  エレクトロニクス  エヌ  ヴィ（KONINKLIJKE PHILIPS ELECTRONICS N.V.）社によって出願された“ワイヤレス通信ネットワークにおけるＰ２Ｐ通信とのアップリンク同期維持のための方法及び装置（A Method and Apparatus for Uplink Synchronization Maintenance with P2P Communication in Wireless Communication Networks）”という名称の同時係属中の特許出願文献（代理人整理番号第ＣＮ０３００１３号）に記載されている。この出願において、アップリンクチャネル及びダウンリンクチャネルは、ＵＥとＵＴＲＡＮとの間でカスタマイズされ、ＵＥは、カスタマイズされたアップリンクチャネルを使用することによって制御情報をＵＴＲＡＮに送信し得る。当該方法及び装置は、ＴＤ−ＳＣＤＭＡシステムを含むいかなるワイヤレス通信システムにも適用可能であり、参照としてここに含まれている。
【００２２】
更に、ＵＴＲＡＮにおいて、Ｐ２Ｐ  ＵＥからの従来通信モードにスイッチするための要求は、他のＵＥからの従来通信をもたらすための要求よりも優先度が高くなる。
【００２３】
ＵＴＲＡＮは、いかなるときにも無線リソースに対するＵＥの要求を満たし得ることが仮定される。Ｐ２Ｐ  ＵＥからの従来通信モードにスイッチするための要求を受信した後、ＵＴＲＡＮは、二つの関連したＰ２Ｐ  ＵＥ、ＵＥ１及びＵＥ２に対して従来通信モードにおいて対応するトラヒックチャネルを再度割り当てる（ステップＳ７）。ここで、ＵＴＲＡＮは、各々のＵＥが欠いている対応するトラヒックチャネルを割り当てるのみである。特に、ＵＥ１とＵＥ２との間のＰ２Ｐリンクのトラヒックチャネルがアップリンクタイムスロットを占有する場合、ＵＴＲＡＮは、ＵＥ１及びＵＥ２のために、対応するダウンリンクトラヒックチャネルを割り当てることを必要とするのみであると共にアップリンクトラヒックチャネルはなおもＰ２Ｐ専用チャネルＰ２Ｐ−ＤＣＨを取り入れることが可能であり、ＵＥ１とＵＥ２との間のＰ２Ｐリンクのトラヒックチャネルがダウンリンクタイムスロットを占有する場合、ＵＴＲＡＮは、ＵＥ１及びＵＥ２のために、対応するアップリンクトラヒックチャネルを割り当てることを必要とするのみであると共にダウンリンクトラヒックチャネルはなおもＰ２Ｐ専用チャネルＰ２Ｐ−ＤＣＨを取り入れることが可能であり、ＵＥ１とＵＥ２との間のＰ２Ｐリンクのトラヒックチャネルがアップリンクタイムスロット及びダウンリンクタイムスロットを占有する場合、ＵＴＲＡＮは、ＵＥ１及びＵＥ２のために、対応するアップリンクトラヒックチャネル及びダウンリンクトラヒックチャネルを割り当てることを必要とするのみであり、Ｐ２Ｐ専用チャネルと共に、割り当てられたアップリンクトラヒックチャネル及びダウンリンクトラヒックチャネルは、従来通信モードでＵＥ１とＵＴＲＡＮとの間の通信リンク及びＵＥ２とＵＴＲＡＮとの間の通信リンクを実行する。
【００２４】
それから、ＵＴＲＡＮはスイッチ要求のＡＣＫメッセージを二つのＵＥに、従来通信モードで再度割り当てられたトラヒックチャネルについて当該二つのＵＥに知らせる（通知する）ためにそれぞれに送信する（ステップＳ８）。
【００２５】
ダウンリンク制御チャネルを介してＵＴＲＡＮから送信されるスイッチ要求のＡＣＫメッセージを受信した後、ＵＥ１及びＵＥ２はＵＴＲＡＮを通じて従来リンクをもたらし、同時にＵＥ１及びＵＥ２は、従来通信及び直接通信の並行状態に入る（ステップＳ９）。並行状態において、二つのＵＥは、現在進行する通信を維持するために、二つのＵＥの先行するＰ２Ｐリンク保持する一方、もたらされた従来リンクを検査する。ここで、各々のＵＥによって実行されるべきステップは以下を含む。
すなわち、まずタイマの値Vtest_convを０に初期化する（ステップＳ１０）。ここで、タイマは、ある時間において割り当てられた従来リンクの通信特性を推定するための数を記録するためのものである。それから、ＵＥは、ある時間において割り当てられた従来リンクの通信特性を推定するためのプロシージャを開始するために、タイマの値Vtest_convを１で増加させる（ステップＳ１０．１）。当該プロシージャは、ＵＥにおいてタイマＴ２を開始させ、それの特性記録リストＬ２に記録されている先行する検査（テスティング）結果を空にするステップ（ステップＳ１０．２）を含む。delta_timeの期間インタバルの後（ステップＳ１０．３）、ＵＥは、この時点で割り当てられる従来リンクのＰ２Ｐリンク特性を検査し（ステップＳ１０．４）、検査結果を特性記録リストＬ２に記録する（ステップＳ５．４）。タイマＴ２は所定の時間で切れるかどうかをチェックする（ステップＳ１０．６）。切れない場合、上記のステップＳ１０．３乃至Ｓ１０．５を繰り返し、Ｔ２が切れる場合、（後にＴ２’と称される）タイマＴ２の所定の期間内に特性記録リストＬ２に記録されている検査結果を計算して、Ｔ２’におけるＰ２Ｐリンク通信特性を得る（ステップＳ１０．７）。Ｔ２’におけるＰ２Ｐリンク通信特性は、閾値ＴＲＨＤ２のような所定の値よりも高くなるかどうかを判断する（ステップＳ１０．８）。
【００２６】
Ｔ２’の期間におけるＰ２Ｐリンク通信特性が閾値ＴＲＨＤ２よりも高くならない場合、当該特性は、ＵＥに割り当てられる従来リンクが従来通信のための要求仕様を満たし得ないことを示し、それからVtest_convが所定の値Ntest_convを超えるかどうかをチェックする（ステップＳ１０．９）。超える場合、所定の値Ntest_convは、ＵＥの割り当てられた従来リンクの通信特性がＴ２’においてNtest_conv回推定されていることを示す。推定結果が、従来リンクは従来通信のためのQoS要求仕様を満たし得ないことを示すたびに、ＵＥは上記のステップＳ３に戻ることが可能となるのみであり、通信するためにＰ２Ｐモードを使用し続け得る。Vtest_convが所定の値Ntest_convを超えない場合、ある期間内に上記の従来リンクの通信特性を推定するための新たなプロシージャを開始するために、上記のステップＳ１０．１乃至Ｓ１０．８を繰り返す。
【００２７】
Ｔ２’における従来リンクの通信特性が閾値ＴＲＨＤ２よりも高くなる場合、当該特性は、ＵＥの現在割り当てられている従来リンクが従来通信のための要求仕様を満たし得ることを示す。すなわち、従来リンクがＵＥとネットワークシステムとの間にうまくもたらされた後、ＵＥはＵＴＲＡＮに、割り当てられた従来リンクが通信特性要求仕様を満たすことは可能であることを示すメッセージを送信し、同時にＵＥは、直接通信無線リソースを解放（リリース）することを要求する（ステップＳ１１）。
【００２８】
二つのＵＥによって送信される直接通信無線リソースを解放するための要求をそれぞれ受信した後、ネットワークシステムＵＴＲＡＮは、Ｐ２Ｐ通信無線リソースを再要求し（リクレームし（reclaim））、Ｐ２Ｐ通信無線リソースを解放するための要求のＡＣＫメッセージを二つのＵＥにそれぞれ送信する（ステップＳ１２）。ダウンリンクチャネルを介してネットワークシステムによって送信されるＰ２Ｐ通信無線リソースを解放するための要求のＡＣＫメッセージを受信した後、二つのＵＥはＰ２Ｐリンクを解放し(ステップＳ１３)、それぞれ従来通信モードの単なる接続状態に入り、従来のアップ−ＵＴＲＡＮ−ダウンモードで相互に通信し続ける（ステップＳ１４）。
【００２９】
ここで、Ｐ２Ｐ通信モードから従来通信モードへの上記のスイッチングプロシージャの間、直接通信リソースが完全に解放される前にＵＥは単なる従来のアップ−ＵＴＲＡＮ−ダウンに完全に入り得ない。すなわち、二つのＵＥが、ネットワークシステムＵＴＲＡＮを通じて通信することができた後にのみ、二つのＵＥの間のＰ２Ｐリンクは分解（ブレークダウン（break down））されることが可能であり、それ故に、従来通信モードへの“軟”又は“透明（トランスペアレント（transparent））”スイッチングが保証される。
【００３０】
図４に関して、本発明によるＰ２Ｐ通信モードから従来通信モードへのスイッチングプロシージャに対して詳細な記載が上記にもたらされている。以下、図５に関して、本発明による従来通信モードからＰ２Ｐ通信モードへのスイッチングプロシージャに対して詳細な記載が以下にもたらされている。
【００３１】
図５に示されているように、同じセルにキャンプインしている（ステップＳ１０１）ＵＥ１及びＵＥ２は、ネットワークシステムＵＴＲＡＮを通じて従来のアップ−ＵＴＲＡＮ−ダウンリンクをそれぞれもたらす（ステップＳ１０２）。もたらされた従来のトラヒックチャネルを使用することによって、ＵＥ１及びＵＥ２は、従来モードで相互の通信を実行する（ステップＳ１０３）。ステップＳ１０１乃至Ｓ１０３は、既存の３ＧＰＰプロトコルに記載されているプロシージャと同じである。
【００３２】
従来モードにおける通信プロシージャの間、二つの通信するＵＥ及びＵＴＲＡＮは、従来リンクをモニタし続けると共に従来通信において電力制御プロシージャを実行する（ステップＳ１０４）。
【００３３】
従来通信プロシージャの間、ＵＴＲＡＮは定期的に、又は不定期に、ＵＥの取得された位置情報を推定し得る（ステップＳ１０５)。例えば、ＵＴＲＡＮは、ＵＥ１及びＵＥ２の位置を探索（検索）すると共に位置決めることを通じて、又はＵＥ１及びＵＥ２によってネットワークシステムに送信されるメッセージに含まれるＵＥの位置情報を通じて、ＵＥ１及びＵＥ２の位置情報を取得し得る。
【００３４】
同時に、ＵＴＲＡＮは、二つの通信するＵＥ、ＵＥ１及びＵＥ２が、以下の三つの条件を同時に満たし得るかどうかを継続的に検出する（ステップＳ１０６)。すなわち、
（１）ＵＴＲＡＮによって取得されるＵＥの上記位置情報に応じて、ＵＥ１とＵＥ２との間の距離が、Ｐ２Ｐによりサポートされる無線帯域内に入ること
（２）ＵＥ１とＵＥ２との両方がＰ２Ｐ通信能力を有すること
（３）ＵＥ１及びＵＥ２が同じセルにキャンプインすること
である。
【００３５】
ＵＥ１及びＵＥ２が上記の三つの条件を同時に満たし得ない場合、ＵＴＲＡＮは従来通信モードからＰ２Ｐ通信モードへのスイッチングを開始することを試み得ない。ＵＥ１及びＵＥ２が上記の三つの条件を同時に満たし得る場合、ＵＴＲＡＮはＵＥ１及びＵＥ２にそれぞれ、自身のピアとＵＴＲＡＮとの間のアップリンク上に転送される情報をオーバヒアするように命令するであろう（ステップＳ１０６．１）。すなわち、ＵＥ１は、ＵＥ２とＵＴＲＡＮとの間のアップリンク上に転送される情報をオーバヒアする一方、ＵＥ２は、ＵＥ１とＵＴＲＡＮとの間のアップリンク上に転送される情報をオーバヒアする（ステップＳ１０７）。
【００３６】
自身のピアとＵＴＲＡＮとの間のアップリンク上に転送される情報をオーバヒアする間、アップリンクは、ＵＥ１とＵＥ２との間のＰ２Ｐ通信のための要求仕様を満たし得るかどうかを決定するために、各々のＵＥは、自身が、アップリンク上に明らかに転送される情報をオーバヒアし得るかどうかを検出する。検出プロシージャの間、各々のＵＥによって実行されるベきステップは以下を含む。
【００３７】
まず最初に、ＵＥにおいてタイマＴ３を開始させ、特性記録リストＬ３に記録されている先行する検査結果を空にする（ステップＳ１０７．１）。delta_timeの期間の後（ステップＳ１０７．２）、ＵＥによってオーバヒアされるアップリンクの特性を検査し（ステップＳ１０７．３）、検査結果を特性記録リストＬ３に記録する（ステップＳ１０７．４）。タイマＴ３は所定の時間で切れるかどうかをチェックする（ステップＳ１０７．５）。切れない場合、上記のステップＳ１０７．２乃至Ｓ１０７．４を繰り返し、Ｔ３が切れる場合、（後にＴ３’と称される）タイマＴ３によって規定される時間内に特性記録リストＬ３に記録されている検査結果を計算して、Ｔ３’におけるオーバヒアされたアップリンクの通信特性を得る（ステップＳ１０７．６）。Ｔ３’におけるオーバヒアされたアップリンクの通信特性は、閾値ＴＲＨＤ３のような所定の値よりも高くなるかどうかを判断する（ステップＳ１０７．７）。当該特性がＴＲＨＤ３よりも高くならない場合、ステップＳ１０３に戻り、ＵＥは、通信するために従来通信モードを使用し続け、ＴＲＨＤ３よりも高くなる場合、ＵＥは、ＵＴＲＡＮが、明確に自身のピアとＵＴＲＡＮとの間のアップリンク上に転送される情報をオーバヒアし得ることをＵＴＲＡＮに通知するためのメッセージをＵＴＲＡＮに送信する（ステップＳ１０８）。
【００３８】
ＵＥ１及びＵＥ２から上記の通知メッセージを受信した後、すなわち、ＵＥ１とＵＥ２との両方が、明確に自身のピアとＵＴＲＡＮとの間のアップリンク上に転送される情報をオーバヒアし得るとき、Ｐ２Ｐ通信をもたらすように二つのＵＥに命令するためにＵＴＲＡＮはＵＥ１及びＵＥ２にそれぞれ制御情報を送信する（ステップＳ１０９）。
【００３９】
ＵＴＲＡＮからＰ２Ｐリンクをもたらすための命令を受信した後、ＵＥ１及びＵＥ２は、それらの間にＰ２Ｐリンクをもたらし、先行する単なる従来通信モードからのＰ２Ｐ通信と従来通信との並行状態に入る（ステップＳ１１０）。並行状態において、ＵＥ１及びＵＥ２は、進行中の通信を維持するために先行する従来通信リンクを保持する一方、もたらされたＰ２Ｐリンクを検査する。ここで、各々のＵＥによって実行されるべきステップは以下を含む。
【００４０】
すなわち、まず最初にタイマの値Vtest_p2pを０に初期化する（ステップＳ１１１）。ここで、タイマは、ある時間においてもたらされたＰ２Ｐリンクの通信特性を推定するための数を記録するためのものである。それから、ＵＥは、一度ある時間においてもたらされたＰ２Ｐリンクの通信特性を推定するプロシージャを開始するために、タイマの値Vtest_p2pを１で増加させる（ステップＳ１１１．１）。当該プロシージャは、ＵＥにおいてタイマＴ４を開始させ、それの特性記録リストＬ４に記録されている先行する検査結果を空にするステップ（ステップＳ１１１．２）を含む。delta_timeの期間の後（ステップＳ１１１．３）、ＵＥは、もたらされたＰ２Ｐリンクの特性を検査し（ステップＳ１１１．４）、検査結果を特性記録リストＬ４に記録する（ステップＳ１１１．５）。タイマＴ４は所定の時間で切れるかどうかをチェックする（ステップＳ１１１．６）。切れない場合、上記のステップＳ１１１．３乃至Ｓ１１１．５を繰り返し、Ｔ４が切れる場合、（後にＴ４’と称される）Ｔ４によって規定される期間内に特性記録リストＬ４に記録されている検査結果を計算して、Ｔ４’におけるＰ２Ｐリンクの通信特性を得る（ステップＳ１１１．７）。Ｔ４’におけるＰ２Ｐリンク通信特性は、閾値ＴＲＨＤ４のような所定の値よりも高くなるかどうかを判断する（ステップＳ１１１．８）。
【００４１】
Ｔ４’におけるＰ２Ｐリンクの通信特性が閾値ＴＲＨＤ４よりも高くならない場合、当該特性は、ＵＥ１とＵＥ２との間の現在もたらされているＰ２Ｐリンクが、Ｐ２Ｐ通信のための要求仕様を満たし得ないことを示し、それから、タイマの値Vtest_p2pが所定の値Ntest_p2pよりも大きくなるかどうかをチェックする（ステップＳ１１１．９）。Ntest_p2pよりも大きくなる場合、特性は、Ｔ４’におけるもたらされたＰ２Ｐリンクの通信特性がNtest_p2p回推定されていることを示し、推定結果が、Ｐ２ＰリンクはＰ２Ｐ通信のためのQoS要求仕様を満たし得ないことを示すたびに、ＵＥは上記のステップＳ１０３に戻ることが可能となるのみであり、通信するために従来モードを使用し続け得る。Ntest_p2pを超えない場合、ある期間において上記もたらされたＰ２Ｐリンクの通信特性を推定するための新たなプロシージャを開始するために、上記のステップＳ１１１．１乃至Ｓ１１１．８を繰り返す。
【００４２】
Ｔ４’におけるＰ２Ｐリンクの通信特性が閾値ＴＲＨＤ４よりも高くなる場合、当該特性は、ＵＥ１とＵＥ２との間の現在もたらされているＰ２ＰリンクがＰ２Ｐ通信のための要求仕様を満たし得ることを示す。すなわち、Ｐ２ＰリンクがＵＥ１とＵＥ２との間にうまくもたらされた後、ＵＥはＵＴＲＡＮに、もたらされたＰ２ＰリンクがQoS要求仕様を満たすことは可能であることを示すメッセージを送信し、同時にＵＥは、従来通信無線リソースを解放することを要求する（ステップＳ１１２）。
【００４３】
ＵＥ１及びＵＥ２からの従来通信無線リソースを解放するための要求をそれぞれ受信した後、ＵＴＲＡＮは、ＵＴＲＡＮとＵＥ１及びＵＥ２との間のダウンリンク無線リソースを再要求し、従来通信無線リソースを解放するＡＣＫメッセージを二つのＵＥにそれぞれ送信する（ステップＳ１１３）。ＵＴＲＡＮから従来通信無線リソースを解放するＡＣＫメッセージを受信した後、ＵＥ１及びＵＥ２は従来通信リンクを解放し(ステップＳ１１４)、それぞれ単一のＰ２Ｐ通信モード接続状態に入り、相互直接リンク（mutual direct link）を介して通信し続ける（ステップＳ１１５）。
【００４４】
ここで、従来通信モードからＰ２Ｐ通信モードへのスイッチングプロシージャの間、従来通信リソースが完全に解放される前に、ＵＥは単なるＰ２Ｐモードに完全に入り得ない。すなわち、二つのＵＥが、相互直接リンクを通じて通信することができた後にのみ、二つのＵＥとＵＴＲＡＮとの間の従来リンクは分解されることが可能であり、それ故に、Ｐ２Ｐ通信モードへの“軟”又は“透明”スイッチングが保証される。
【００４５】
本発明によるＰ２Ｐ通信モードから従来通信モード又は従来通信モードからＰ２Ｐ通信モードにスイッチするための上記方法は、コンピュータソフトウエア若しくはハードウエア、又はソフトウエアとハードウエアとの組み合わせで実現され得る。
【００４６】
上記のように、本発明においてもたらされるＴＤ−ＳＣＤＭＡシステムでＰ２Ｐ通信モードから従来通信モードにスイッチするための方法及び装置において、ＵＥは、先行する単一のＰ２Ｐ通信モードから単なる従来通信モードにスイッチする前にＰ２Ｐ通信と従来通信との並行状態にとどまるので、直接通信リソースが完全に解放された後にのみ、ＵＥは単なる従来アップ−ＵＴＲＡＮ−ダウンモードに完全に入ることが可能である。すなわち、二つのＵＥは、並行状態で通信するためになおもＰ２Ｐモードを使用し続けることが可能であり、二つのＵＥの間のＰ２Ｐリンクが、ネットワークシステムUTRANを通じて通信することができた後にのみ、二つのＵＥの間のＰ２Ｐリンクは分解されることが可能であり、それ故に、関連する（含まれる）ＵＥによって通知されることなく従来通信モードへの“軟”又は“透明”スイッチングを実現することが可能である。
【００４７】
同様に、本発明においてもたらされるＴＤ−ＳＣＤＭＡシステムで従来通信モードからＰ２Ｐ通信モードにスイッチするための方法及び装置において、ＵＥはここでも、先行する単なる従来通信モードから単なるＰ２Ｐ通信モードにスイッチする前にＰ２Ｐ通信と従来通信との並行状態にとどまるので、従来通信リソースが完全に解放された後にのみ、ＵＥは単なる従来Ｐ２Ｐモードに完全に入ることが可能である。すなわち、二つのＵＥは、並行状態で通信するためになおも従来モードを使用し続けることが可能であり、ＵＥが相互直接リンクを通じて通信することができた後にのみ、二つのＵＥとＵＴＲＡＮとの間の従来リンクは分解されることが可能であり、それ故に、関連するＵＥによって通知されることなくＰ２Ｐ通信モードへの“軟”又は“透明”スイッチングを実現することが可能である。
【００４８】
更に、Ｐ２Ｐモードから従来通信モードにスイッチするプロシージャの間、ＵＥが従来通信モードを使用するとき、先行するＰ２Ｐリンクはアップリンク又はダウンリンクとみなされることが可能であり、ＵＴＲＡＮは、対応するダウンリンクトラヒックチャネル及び／又はアップリンクトラヒックチャネルを、従来通信モードにスイッチすることを要求するＵＥにのみ割り当てることが可能である。一方、従来通信モードからＰ２Ｐモードにスイッチするプロシージャの間、ＵＥとＵＴＲＡＮとの間のアップリンクのような先行する従来リンクの半分の無線リソースはなおもＰ２Ｐ通信におけるＰ２Ｐリンクとして再利用（繰り返し利用）されることが可能であり、ＵＴＲＡＮは、従来無線リソースの半分のみを再要求する。本発明におけるリソース割り当て及び再要求は、Ｐ２Ｐ通信モードと従来通信モードとの間でスイッチするとき、無線リソース割り当てプロシージャを効果的に簡略化し得る。
【００４９】
本発明においてもたらされるＴＤ−ＳＣＤＭＡシステムでＰ２Ｐ通信モードと従来通信モードとの間で軟スイッチするための方法及び装置が、ＴＤ−ＳＣＤＭＡの実施例に
関連して示されていると共に記載されているが、本方法及び装置がそれに限定されることはなく、他のＴＤＤ  ＣＤＭＡシステムにも適していることは当業者によって理解されるべきである。  
【００５０】
本発明において開示されているＴＤ−ＳＣＤＭＡシステムでＰ２Ｐ通信モードと従来通信モードとの間で軟スイッチするための方法及び装置が、請求項によって規定されているように本発明の範囲からほぼ逸脱することなく修正され得ることも当業者によって理解されるべきである。
【図面の簡単な説明】
【００５１】
【図１】従来のＵＰ−ＵＴＲＡＮ−ＤＯＷＮ通信モードを示す概略図である。
【図２】本発明によるＰ２Ｐ通信モードを示す概略図である。
【図３】本発明による従来通信モードとＰ２Ｐ通信モードとの間の軟スイッチングのためのＵＥの状態遷移を示す概略図である。
【図４】本発明による、Ｐ２Ｐモードから従来モードへのスイッチングを示すチャートフローを示す。
【図５】本発明による、従来モードからＰ２Ｐモードへのスイッチングを示すチャートフローを示す。
【図１】
2007503788.tif 000003
【図２】
2007503788.tif 000004
【図３】
2007503788.tif 000005
【図４】
2007503788.tif 000006
【図５】
2007503788.tif 000007
【国際調査報告】
2007503788.tif 000008
2007503788.tif 000009
2007503788.tif 000010